(57)【要約】【課題】電線がハウジングからの導出方向と交差する方向の外力を受けることに起因して端子金具がハウジング内で姿勢を傾けるのを防止する。【解決手段】キャビティ１１内に挿入された端子金具２０は、キャビティ１１の内壁に形成したランス１３を係止させることにより抜止めされ、端子金具２０に接続した電線４０がハウジング１０から後方へ導出されている。端子金具２０には、ランス１３との係止部２８とは異なる位置から外面側に突出した形態であり、キャビティ１１の内壁に対し電線４０のハウジング１０からの導出方向と交差する方向に弾性的に押圧可能な弾性押圧部３１，３２が形成されている。【選択図】図１
2010123554.tif 000002
【特許請求の範囲】
【請求項１】
内部にキャビティが形成されたハウジングと、
前端側領域に相手側端子との接続手段として機能する端子接続部が形成され、前記端子接続部の後方にオープンバレル状のワイヤバレル部が形成され、後方から前記キャビティ内に挿入された端子金具と、
導体を絶縁被覆で包囲した形態であり、前記絶縁被覆を除去して露出させた前記導体が前記ワイヤバレル部に圧着され、前記ハウジングの後方へ導出された電線とを備えており、
前記キャビティ内に挿入された前記端子金具が、前記キャビティの内壁に形成したランスを係止させることにより抜止めされているコネクタにおいて、
前記端子金具には、前記ランスとの係止部とは異なる位置から外面側に突出した形態であり、前記キャビティの内壁に対し前記電線の前記ハウジングからの導出方向と交差する方向に弾性的に押圧可能な弾性押圧部が形成されていることを特徴とするコネクタ。
【請求項２】
前記弾性押圧部が、前記端子金具の外面に対し２カ所で支持されていることを特徴とする請求項１記載のコネクタ。
【請求項３】
前記弾性押圧部が、前後方向に間隔を空けた複数の位置に配されていることを特徴とする請求項１又は請求項２記載のコネクタ。
【請求項４】
前記弾性押圧部が、前記端子金具の外面のうち前記係止部とは反対側の外面から突出する形態であることを特徴とする請求項１ないし請求項３のいずれか１項に記載のコネクタ。
【請求項５】
前記端子金具は、所定形状に打ち抜いて展開状態とされた金属板材を曲げ加工して成形されており、
前記端子接続部は、前後方向の折り目において曲げ加工された状態で連なる複数の板部から構成される角筒状をなしており、
前記端子接続部の内部には、前記端子接続部の前端縁に連なって後方へ折り返された形態の弾性接触片が収容され、
前記弾性押圧部は、前記端子接続部の前端縁に連なる形態とされており、
前記金属板材が展開状態であるときには、前記弾性押圧部の少なくとも一部が、長さ方向において弾性接触片の範囲内であり、且つ幅方向において前記端子接続部の範囲内の領域に配されていることを特徴とする請求項１ないし請求項４のいずれか１項に記載のコネクタ。
【請求項６】
前記端子金具は、所定形状に打ち抜いて展開状態とされた金属板材を曲げ加工して成形されており、
前記端子接続部は、前後方向の折り目において曲げ加工された状態で連なる複数の板部から構成される角筒状をなしており、
前記端子接続部の後方に前記ワイヤバレル部が連なっており、
前記弾性押圧部は、前記端子接続部の後端縁に連なる形態とされており、
前記金属板材が展開状態であるときには、前記弾性押圧部の少なくとも一部が、長さ方向においてワイヤバレル部の範囲内であり、且つ幅方向において前記端子接続部の範囲内の領域に配されていることを特徴とする請求項１ないし請求項５のいずれか１項に記載のコネクタ。
【発明の詳細な説明】
【技術分野】
【０００１】
本発明は、コネクタに関するものである。
【背景技術】
【０００２】
特許文献１には、ハウジング内に端子金具を挿入して構成されるコネクタが開示されている。端子金具は、後端側部分にオープンバレル状のワイヤバレル部を有しており、このワイヤバレル部には、電線における絶縁被覆を除去して露出された導体が圧着により導通可能に接続されている。端子金具に接続された電線は、ハウジング外へ導出されている。
【特許文献１】特開２００５−２２２８１５公報
【発明の開示】
【発明が解決しようとする課題】
【０００３】
一般的な電線では、導体として比較的剛性の低い銅が用いられているが、導体として銅よりも剛性の高い材料（例えば、アルミニウム）を用いたり、銅よりも導電率の低い材料（例えば、アルミニウム）を用いたことに伴って導体を太くしたために結果的に導体の剛性が高まってしまうことがある。このような場合、ハウジングの後方へ導出されている電線が、ハウジングからの導出方向と交差する方向の外力を受けて変位すると、電線の剛性により、端子金具がハウジング内で姿勢を傾ける虞がある。端子金具の姿勢が変化すると、相手側端子との接触状態が不安定となり、接触信頼性の低下が懸念される。
【０００４】
本発明は上記のような事情に基づいて完成されたものであって、電線がハウジングからの導出方向と交差する方向の外力を受けることに起因して端子金具がハウジング内で姿勢を傾けるのを防止することを目的とする。
【課題を解決するための手段】
【０００５】
上記の目的を達成するための手段として、請求項１の発明は、内部にキャビティが形成されたハウジングと、前端側領域に相手側端子との接続手段として機能する端子接続部が形成され、前記端子接続部の後方にオープンバレル状のワイヤバレル部が形成され、後方から前記キャビティ内に挿入された端子金具と、導体を絶縁被覆で包囲した形態であり、前記絶縁被覆を除去して露出させた前記導体が前記ワイヤバレル部に圧着され、前記ハウジングの後方へ導出された電線とを備えており、前記キャビティ内に挿入された前記端子金具が、前記キャビティの内壁に形成したランスを係止させることにより抜止めされているコネクタにおいて、前記端子金具には、前記ランスとの係止部とは異なる位置から外面側に突出した形態であり、前記キャビティの内壁に対し前記電線の前記ハウジングからの導出方向と交差する方向に弾性的に押圧可能な弾性押圧部が形成されているところに特徴を有する。
【０００６】
請求項２の発明は、請求項１に記載のものにおいて、前記弾性押圧部が、前記端子金具の外面に対し２カ所で支持されているところに特徴を有する。
【０００７】
請求項３の発明は、請求項１または請求項２に記載のものにおいて、前記弾性押圧部が、前後方向に間隔を空けた複数の位置に配されているところに特徴を有する。
【０００８】
請求項４の発明は、請求項１ないし請求項３のいずれかに記載のものにおいて、前記弾性押圧部が、前記端子金具の外面のうち前記係止部とは反対側の外面から突出する形態であるところに特徴を有する。
【０００９】
請求項５の発明は、請求項１ないし請求項４のいずれかに記載のものにおいて、前記端子金具は、所定形状に打ち抜いて展開状態とされた金属板材を曲げ加工して成形されており、前記端子接続部は、前後方向の折り目において曲げ加工された状態で連なる複数の板部から構成される角筒状をなしており、前記端子接続部の内部には、前記端子接続部の前端縁に連なって後方へ折り返された形態の弾性接触片が収容され、前記弾性押圧部は、前記端子接続部の前端縁に連なる形態とされており、前記金属板材が展開状態であるときには、前記弾性押圧部の少なくとも一部が、長さ方向において弾性接触片の範囲内であり、且つ幅方向において前記端子接続部の範囲内の領域に配されているところに特徴を有する。
【００１０】
請求項６の発明は、請求項１ないし請求項５のいずれかに記載のものにおいて、前記端子金具は、所定形状に打ち抜いて展開状態とされた金属板材を曲げ加工して成形されており、前記端子接続部は、前後方向の折り目において曲げ加工された状態で連なる複数の板部から構成される角筒状をなしており、前記端子接続部の後方に前記ワイヤバレル部が連なっており、前記弾性押圧部は、前記端子接続部の後端縁に連なる形態とされており、前記金属板材が展開状態であるときには、前記弾性押圧部の少なくとも一部が、長さ方向においてワイヤバレル部の範囲内であり、且つ幅方向において前記端子接続部の範囲内の領域に配されているところに特徴を有する。
【発明の効果】
【００１１】
＜請求項１の発明＞
電線に対しハウジングからの導出方向と交差する方向の外力が作用すると、その外力が電線を介して端子金具に作用する。しかし、端子金具は、その弾性押圧部をキャビティの内壁に対して弾性的に押圧させることにより、一定の姿勢を保つように保持されているので、端子金具の姿勢が変化する虞はない。
【００１２】
＜請求項２の発明＞
弾性押圧部を端子金具の外面における２カ所で支持するようにしたので、弾性押圧部が１カ所のみで端子金具に支持されて片持ち状に延出する形態である場合に比べると、弾性押圧部の弾力を十分大きく発揮させることができ、ひいては、端子金具の姿勢の変化をより確実に防止することができる。
【００１３】
＜請求項３の発明＞
弾性押圧部が、前後方向に間隔を空けた複数の位置に配されているので、端子金具の姿勢の傾きを、より確実に防止することができる。
【００１４】
＜請求項４の発明＞
弾性押圧部が、端子金具の外面のうちランスとの係止部とは反対側の外面から突出する形態なので、弾性押圧部の弾力により端子金具はランス側へ押圧される。これにより、ランスと係止部との係止代が十分に確保され、端子金具を確実に抜止めすることができる。
【００１５】
＜請求項５の発明＞
展開状態の金属板材のうち端子接続部の前方で且つ弾性接触片の側方の領域は、金属板材を所定形状に打ち抜いたときに廃棄される部分である。本発明では、弾性押圧部を端子接続部の前端縁に連なる形態とした上で、弾性押圧部の少なくも一部が、長さ方向において弾性接触片の範囲内であり、且つ幅方向において端子接続部の範囲内の領域に配されるようにした。これにより、金属板材のうち廃棄される部分の一部を弾性押圧部として有効利用できるようなったので、打ち抜き時の廃棄面積を少なくして歩留まりを向上させることができる。
【００１６】
＜請求項６の発明＞
展開状態の金属板材のうち端子接続部の後方で且つワイヤバレル部の側方の領域は、金属板材を所定形状に打ち抜いたときに廃棄される部分である。本発明では、弾性押圧部を端子接続部の後端縁に連なる形態とした上で、弾性押圧部の少なくも一部が、長さ方向においてワイヤバレル部の範囲内であり、且つ幅方向において端子接続部の範囲内の領域に配されるようにした。これにより、金属板材のうち廃棄される部分の一部を弾性押圧部として有効利用できるようなったので、打ち抜き時の廃棄面積を少なくして歩留まりを向上させることができる。
【発明を実施するための最良の形態】
【００１７】
＜実施形態１＞
以下、本発明を具体化した実施形態１を図１及び図２を参照して説明する。本実施形態のコネクタは、ハウジング１０と、複数の端子金具２０と、電線４０とを備えて構成されている。電線４０は、導体４１を絶縁被覆４２で包囲した周知の形態のものである。電線４０の前端部においては、端子金具２０に接続されるのに先立ち、絶縁被覆４２が除去されて導体４１が露出した状態となっている。導体４１の材料としては、銅や、銅よりも剛性が高い材料（例えば、アルミニウム）や、銅よりも導電率の低い材料（例えば、アルミニウム）が用いられる。
【００１８】
ハウジング１０は、合成樹脂製であり、その内部には前後方向に細長い複数のキャビティ１１が形成されている。キャビティ１１の前端（図１における左側の端部）は、ハウジング１０の前端面において相手側端子（図示せず）をキャビティ１１内に進入させるための端子進入口として開口している。キャビティ１１の後端は、ハウジング１０の後端面において端子挿入口として開口している。各キャビティ１１には、その下面壁１２に沿って前方へ片持ち状に延出した形態のランス１３が、上下方向（キャビティ１１に対する端子金具２０の挿入方向と交差する方向）への弾性撓みし得るように形成されている。ランス１３の上面には端子金具２０に係止するための係止突起１４が形成されている。
【００１９】
端子金具２０は、所定形状に打ち抜いて展開状態とされた金属板材５１に曲げ加工等を施すことによって形成された雌形のものである。図２に示すように、金属板材５１は、その前後両端（弾性接触片２７の前端とインシュレーションバレル部３６の後端）において一対のキャリア５２に接続されており、この一対のキャリア５２と複数の並列状に配した金属板材５１とによって連鎖端子５０が構成されている。金属板材５１は、曲げ加工等が施されて所定の形状の端子金具２０に成形された後、キャリア５２から切り離される。
【００２０】
端子金具２０は全体として前後方向に細長く、その前端側領域は角筒状をなす端子接続部２１となっている。端子接続部２１は、雄形の相手側端子に形成されている細長いタブ（図示せず）との接続手段として機能する周知形態のものである。端子接続部２１は、下面板２２と、下面板２２の左右両側縁から直角に立ち上がる一対の側面板２３と、一方の側面板２３の上端縁から直角内側へ延出した上面板２４と、他方の側面板２３の上端縁から直角内側へ延出した天井板２５とから構成されている。これらの５枚の板部２２〜２５は、前後方向の折り目２６において曲げられることによって角筒状に成形されており、上面板２４は天井板２５の上面（外面）に重ねられている。
【００２１】
下面板２２には、その前端縁から後方へ折り返された形態の弾性接触片２７が一体に形成されている。この弾性接触片２７は、弾性接触片２７の内部空間のうち前端側の部分に収容されている。また、下面板２２における弾性接触片２７よりも後方の位置には、端子金具２０がキャビティ１１内の正規位置まで挿入されたときに、ランス１３の係止突起１４を係止させるための貫通孔状の係止部２８が形成されている。
【００２２】
弾性接触片２７を構成する板部のうち下面板２２と平行をなす上面板２４には、その前端縁から延出する第１弾性押圧部３１と、後端縁から延出する第２弾性押圧部３２とが一体に形成されている。この第１弾性押圧部３１と第２弾性押圧部３２は、側面視において前後対称な形状に成形されている。
【００２３】
第１弾性押圧部３１は、上面板２４の前端縁から延出した突片部を端子接続部２１（上面板２４）の外面側へ曲げられて後方へ折り返されることにより側面視で概ね山形をなすように成形されている。第１弾性押圧部３１の延出端部（後端部）は、第１弾性押圧部３１の基端部（上面板２４の前端縁に連なる側の端部）よりも後方の位置において、上面板２４の上面（外面）に当接されている。
【００２４】
第２弾性押圧部３２は、上面板２４の後端縁から延出した突片部を端子接続部２１（上面板２４）の外面側へ曲げられて前方へ折り返されることにより側面視で概ね山形をなすように成形されている。第２弾性押圧部３２の延出端部（前端部）は、第２弾性押圧部３２の基端部（上面板２４の後端縁に連なる側の端部）よりも前方の位置において、上面板２４の上面（外面）に当接されている。
【００２５】
端子金具２０の後端側領域（端子接続部２１の後方）には、オープンバレル状の圧着部３４が形成されている。圧着部３４は、その前端側領域に形成されたワイヤバレル部３５と、後端側領域（ワイヤバレル部３５よりも後方）に形成されたインシュレーションバレル部３６とを備えて構成されている。ワイヤバレル部３５の前端は、端子接続部２１の下面板２２と左右両側面板２３の下端部を後方へ延長させた形態の連結部３７を介すことにより弾性接触片２７の後端に連なっている。
【００２６】
ワイヤバレル部３５は、底壁３５ａの左右両側縁から一対のカシメ片３５ｂを立ち上げた形態であり、このワイヤバレル部３５には、電線４０の導体４１が圧着により導通可能に接続されている。圧着の際には、ワイヤバレル部３５の底壁３５ａに載置した導体４１に対しカシメ片３５ｂを変形させて巻き付けることで、導体４１がワイヤバレル部３５で包囲される。インシュレーションバレル部３６は、ワイヤバレル部３５の底壁３５ａに連なる底壁３６ａから一対のカシメ片３６ｂを立ち上げた形態である。インシュレーションバレル部３６には、電線４０における絶縁被覆４２で覆われた部分が、ワイヤバレル部３５と同様に圧着により固着されている。
【００２７】
端子金具２０は、後方からキャビティ１１内に挿入されている。挿入過程では、ランス１３が端子接続部２１の下面板２２に押されて下方へ弾性撓みする。端子金具２０が正規の位置まで深く挿入されると、ランス１３が上方へ弾性復帰して係止突起１４が係止部２８に係止し、この係止作用によって端子金具２０が抜止め状態に保持される。端子金具２０が挿入された状態では、電線４０がハウジング１０の後端面から後方へ導出される。
【００２８】
また、端子金具２０がキャビティ１１内に正規挿入された状態では、第１弾性押圧部３１と第２弾性押圧部３２が、弾性撓みした状態で、キャビティ１１の上面壁１５に対して弾性的に押圧する。この押圧作用により、端子金具２０の端子接続部２１は、上面壁１５からの反力を受けてキャビティ１１の下面壁１２側へ弾性的に押し付けられる。この押し付け作用により、端子金具２０は、上方への変位、及び前端側又は後端側を上方へ変位させるような姿勢の傾きを規制された状態に保持される。
【００２９】
したがって、ハウジング１０の後方へ導出されている電線４０に対し、ハウジング１０からの導出方向と交差する上下方向の外力が作用しても、２つの弾性押圧部３１，３２の押圧力により、端子金具２０の姿勢の変化及び上下方向の位置ずれが防止される。
【００３０】
また、各弾性押圧部３１，３２は、夫々、端子接続部２１の外面における前後２カ所で支持されるようにしているので、弾性押圧部が１カ所のみで端子金具に支持されて片持ち状に延出する形態である場合に比べると、本実施形態では弾性押圧部３１，３２の弾力を十分大きく発揮させることができる。これにより、端子金具２０の姿勢の変化をより確実に防止することができる。
【００３１】
また、第１弾性押圧部３１と第２弾性押圧部３２が、互いに前後方向に間隔を空けて配置されているので、端子金具２０の姿勢の傾きを確実に防止することができる。
【００３２】
また、弾性押圧部３１，３２は、端子接続部２１の外面のうちランス１３との係止部２８が形成されている下面板２２とは反対側の上面板２４の外面から突出する形態なので、弾性押圧部３１，３２の弾力により端子金具２０はランス１３側へ押圧される。これにより、ランス１３と係止部２８との係止代が十分に確保され、端子金具２０を確実に抜止めすることができる。
【００３３】
また、端子接続部２１は、前後方向の折り目２６において曲げ加工された状態で連なる複数の板部２２〜２５から構成された角筒状をなしており、端子接続部２１の内部には、端子接続部２１の前端縁に連なって後方へ折り返された形態の弾性接触片２７が収容されている。したがって、展開状態の金属板材５１においては、端子接続部２１から前方へ弾性接触片２７が突出された形態となっており、端子接続部２１の前方で且つ弾性接触片２７の側方の領域は、金属板材５１を所定形状に打ち抜いたときに廃棄される部分となる。
【００３４】
そこで、本実施形態では、第１弾性押圧部３１を端子接続部２１の前端縁に連なる形態とした上で、第１弾性押圧部３１の全体が、長さ方向において弾性接触片２７の範囲内であり、且つ幅方向において端子接続部２１の範囲内の領域（つまり、金属板材５１を打ち抜く際に廃棄される部分）に配されるようにした。これにより、金属板材５１のうち廃棄される部分の一部を第１弾性押圧部３１として有効利用することができたので、打ち抜き時の廃棄面積を少なくして歩留まりを向上させることが実現されている。
【００３５】
また、展開状態の金属板材５１においては、端子接続部２１の後方にワイヤバレル部３５が配置された形態となっており、端子接続部２１の後方で且つワイヤバレル部３５の側方の領域は、金属板材５１を所定形状に打ち抜いたときに廃棄される部分となる。そこで、本実施形態では、第２弾性押圧部３２を端子接続部２１の後端縁に連なる形態とした上で、第２弾性押圧部３２の全体が、長さ方向においてワイヤバレル部３５の範囲内であり、且つ幅方向において端子接続部２１の範囲内の領域（つまり、金属板材５１を打ち抜く際に廃棄される部分）に配されるようにした。これにより、金属板材５１のうち廃棄される部分の一部を第２弾性押圧部３２として有効利用することができたので、打ち抜き時の廃棄面積を少なくして歩留まりを向上させることが実現されている。
【００３６】
＜他の実施形態＞
本発明は上記記述及び図面によって説明した実施形態に限定されるものではなく、例えば次のような実施態様も本発明の技術的範囲に含まれる。
【００３７】
（１）上記実施形態では、端子金具が角筒状の端子接続部内に弾性接触片を設けた雌形のものであったが、本発明は、端子金具が先端に細長いタブを有する雄形のものである場合にも適用できる。
【００３８】
（２）上記実施形態では、２つの弾性押圧部を形成したが、弾性押圧部の数は、１つでもよく、３つ以上でもよい。
【００３９】
（３）上記実施形態では、２つの弾性押圧部がキャビティの内壁に対して互いに同じ向きに押圧するようにしたが、複数の弾性押圧部が互いに異なる方向からキャビティの内壁を押圧する形態としてもよい。
【００４０】
（４）上記実施形態では、弾性押圧部が角筒状をなす端子接続部の前後方向における端部に配したが、弾性押圧部の位置は、端子接続部の前後方向における中央寄りの位置であってもよい。
【００４１】
（５）上記実施形態では、弾性押圧部が、角筒状をなす端子接続部部の外面のうちランスとの係止部（係止孔）とは反対側の外面から突出する形態としたが、弾性押圧部は、係止部の形成されている外面から突出する形態であってもよく、係止部の形成されている外面と直角に連なる外面から突出する形態であってもよい。
【００４２】
（６）上記実施形態では、弾性押圧部が前後２カ所において端子接続部に支持される形態としたが、弾性押圧部は１カ所だけで端子接続部に支持されて片持ち状に延出する形態であってもよい。
【００４３】
（７）上記実施形態では、前側の弾性押圧部の全体が、連鎖端子の状態において幅方向において端子接続部の範囲内であり、且つ長さ方向において弾性接触片の範囲内の領域に配されるようにしたが、前側の弾性押圧部の少なくとも一部が、連鎖端子の状態において幅方向において端子接続部の範囲外、又は長さ方向において弾性接触片の範囲外の領域に配されるようにしてもよい。
【００４４】
（８）上記実施形態では、後側の弾性押圧部の全体が、連鎖端子の状態において幅方向において端子接続部の範囲内であり、且つ長さ方向においてワイヤバレル部の範囲内の領域に配されるようにしたが、後側の弾性押圧部の少なくとも一部が、連鎖端子の状態において幅方向において端子接続部の範囲外、又は長さ方向においてワイヤバレル部の範囲外の領域に配されるようにしてもよい。
【００４５】
（９）上記実施形態では、１つの弾性押圧部がキャビティの内壁に対して当接するのは１カ所だけであったが、本発明によれば、１つの弾性押圧部に、キャビティの内壁に対する当接部を複数形成してもよい。この場合、複数の当接部は、前後方向に間隔を空けて配置してもよく、幅方向（左右方向）に間隔を空けて配置してもよい。
【図面の簡単な説明】
【００４６】
【図１】実施形態１の断面図
【図２】展開状態の金属板材の平面図
【符号の説明】
【００４７】
１０…ハウジング
１１…キャビティ
１３…ランス
２０…端子金具
２１…端子接続部
２７…弾性接触片
２８…係止部
３１…第１弾性押圧部
３２…第２弾性押圧部
３５…ワイヤバレル部
４０…電線
４１…導体
４２…絶縁被覆
５１…金属板材
【図１】
2010123554.tif 000003
【図２】
2010123554.tif 000004